(57)【特許請求の範囲】
【請求項１】
円筒回転軸に底部を固定した有底円筒形の洗濯脱水槽と、洗濯脱水槽の上半分に被せてこれと非接触かつ同軸的に配置した環状排水管と、環状排水管の前記洗濯脱水槽に連通する上部開口部に被せる内蓋と、洗濯脱水槽の外側から押したとき、その中心部に向けて押し出される同槽の内壁面に取り付けた、脱水後の洗濯物をほぐすほぐし部材と、洗濯脱水槽を回転させたとき、ほぐし部材を洗濯脱水槽の外側から押してその中心部に向けて押し出す押出し手段と、除湿機とを備え、前記環状排水管は、内壁部に環状開口部を有し、前記洗濯脱水槽は、前記環状開口部に臨む位置に複数の排水穴を有し、その排水穴の下側に前記環状開口部から環状排水管の中に伸びて下方に垂れ下がる環状の水切り板を有し、かつ直径が底部から上部にかけて次第に大きくなっており、前記円筒回転軸は、洗濯脱水槽に通じる連結管となっており、その下端部には、三方弁の切り換えによって除湿機からの乾燥空気を洗濯脱水槽に導く給気路と、洗濯脱水槽の洗濯水又は濯ぎ水を外部へ排出する排水路と、洗濯水又は濯ぎ水の洗濯脱水槽からの流出を止める閉止路を形成する三方分岐管が同軸かつ相対回転可能に接続され、前記環状排水管と三方分岐管の間には、洗濯脱水槽から環状排水管に流出した洗濯水又は濯ぎ水を、ポンプによって三方分岐管に送って洗濯脱水槽に還流させる側管が設けられ、前記側管には、着脱可能なフィルターが装着され、前記洗濯脱水槽と環状排水管の下側には、環状排水管から洗濯脱水槽の水切り板の下を通って外部に漏出する泡や水を捕集して排出する漏斗状排水管が設けられている洗濯機において、前記側管から三方分岐管と円筒回転軸を経て洗濯脱水槽に至るまでの洗濯水又は濯ぎ水の流路の前記フィルターの下流側に、電解水発生電極を配設したことを特徴とする洗濯機。
【発明の詳細な説明】
【０００１】
【発明の属する技術分野】
この発明は洗濯機に関するものである。
【０００２】
【従来の技術】
従来の洗濯機としては、洗剤による環境への影響を少なくするために、水道水を電気分解して得られる電解水と、空気の洗濯水への噴射によって発生する気泡が砕けるときに発生する超音波とを用いる「洗剤なしで洗える洗濯機」（三洋電機（株）製）が提案されている。
【０００３】
この洗濯機においては、図５に示すように、受水槽５１に供給された洗濯水又は濯ぎ水は、同槽５１の側壁に小さなバイパスを形成する電解水発生室５２の中に、同室にエアノズル５２ａから空気を吹き込むことによって作られる水流にひかれて導入され、その中の電極板５３で電気分解されて活性酸素や電解次亜塩素酸を含む電解水となる。
【０００４】
ここで生成される電解水は、エアノズル５２ａから電解水発生室５２の中に吹き込まれた空気で多数の気泡を含んだ電解水となり、かつ加速されて電解水発生室５２の吐出口５２ｂから受水槽５１に送り出される。
【０００５】
受水槽５１に送り出された多数の気泡を含んだ電解水は、同槽５１と洗濯槽５４の間で拡散しながら洗濯槽５４の中に通水孔５４ａを通して供給される。
【０００６】
洗濯槽５４に投入された洗濯物は、パルセーター５５の回転により、供給された多数の気泡を含んだ電解水により洗浄される。
【０００７】
このとき行われる「気泡を含んだ電解水による洗浄」の仕組みは、概念的に、次のように説明できる。
【０００８】
▲１▼気泡ガ砕けるときに発生する「超音波」と「水流」で洗濯物から汚れ（有機物）を剥がす。
【０００９】
▲２▼電解水の活性酸素が分子レベルで汚れを分解する。
【００１０】
▲３▼電解水の電解次亜塩素酸が除菌をする。
【００１１】
洗濯物の洗浄に使用されて有機物分解能と除菌能を失った電解水は、受水槽５１を経て電解水発生室５２に回帰し、ここで気泡を含んだ電解水となって再び洗濯槽５４に供給される。
【００１２】
気泡を含んだ洗濯水の活性化と活性の消耗は、このようなプロセスを経て繰返される。この繰り返しによって洗濯物の洗浄が行われる。
【００１３】
洗浄を終えた洗濯物は、パルセーター５５を止めて、気泡を含んだ電解水の中にしばらくつけておき、再びパルセーター５５を回して気泡を含んだ電解水で濯ぎを行って除菌をする。
【００１４】
【発明が解決しようとする課題】
しかしながら、従来の洗濯機は、電解水発生室５２で生成した多数の気泡を含んだ電解水を洗濯槽５４に送り、ここで洗濯物の洗浄と濯ぎに使用し、再び電解水発生室５２に回帰させることによって、洗濯水又は濯ぎ水を循環させる構成となっているため、次の（１）及び（２）に記載の問題がある。
【００１５】
（１）洗濯水又は濯ぎ水の循環の過程で、洗濯物の繊維くず、糸くず、ゴミ等が電解水発生室５２の電極板５３に付着し、その電気分解能が低下する。このため、洗濯を重ねていくにつれ、電解水による洗濯物の洗浄能力が次第に低下する。
【００１６】
（２）電解水発生室５２で生成された電解水は、エアノズル５２ａから吹き込まれた空気で気泡を含んだ電解水となって吐出口５２ｂから受水槽５１と洗濯槽５４の間に一旦送り込まれ、ここからパルセーター５５の回転によって回転する、洗濯槽５４の中の洗濯水又は濯ぎ水の中に通水孔５４ａを通して導入され、分散していく。
【００１７】
このため、気泡を含んだ電解水の洗濯水又は濯ぎ水への分散が円滑に進まず、不均一になり易い。その結果、同電解水の濃度にムラが生じ、洗濯物の洗浄にムラが生じるおそれがある。
【００１８】
この発明は、このような従来の問題点に着目してなされたもので、洗濯脱水槽の回転によって、そこから環状排水管にあふれる洗濯水又は濯ぎ水を側管に導き、ここで濾過しながら、その下流側に配設した電極板で電気分解し、これをポンプで洗濯脱水槽へ還流させて洗濯と濯ぎを行う構成とすることによって、電極板による洗濯水又は濯ぎ水の電気分解能が低下するおそれがなく、かつ電解水の洗濯水又は濯ぎ水における濃度にムラが生じるおそれがない洗濯機を提供することを目的とする。
【００１９】
【課題を解決するための手段】
この発明が提供する洗濯機は、円筒回転軸に底部を固定した有底円筒形の洗濯脱水槽と、洗濯脱水槽の上半分に被せてこれと非接触かつ同軸的に配置した環状排水管と、環状排水管の前記洗濯脱水槽に連通する上部開口部に被せる内蓋と、洗濯脱水槽の外側から押したとき、その中心部に向けて押し出される同槽の内壁面に取り付けた、脱水後の洗濯物をほぐすほぐし部材と、洗濯脱水槽を回転させたとき、ほぐし部材を洗濯脱水槽の外側から押してその中心部に向けて押し出す押出し手段と、除湿機とを備え、前記環状排水管は、内壁部に環状開口部を有し、前記洗濯脱水槽は、前記環状開口部に臨む位置に複数の排水穴を有し、その排水穴の下側に前記環状開口部から環状排水管の中に伸びて下方に垂れ下がる環状の水切り板を有し、かつ直径が底部から上部にかけて次第に大きくなっており、前記円筒回転軸は、洗濯脱水槽に通じる連結管となっており、その下端部には、三方弁の切り換えによって除湿機からの乾燥空気を洗濯脱水槽に導く給気路と、洗濯脱水槽の洗濯水又は濯ぎ水を外部へ排出する排水路と、洗濯水又は濯ぎ水の洗濯脱水槽からの流出を止める閉止路を形成する三方分岐管が同軸かつ相対回転可能に接続され、前記環状排水管と三方分岐管の間には、洗濯脱水槽から環状排水管に流出した洗濯水又は濯ぎ水を、ポンプによって三方分岐管に送って洗濯脱水槽に還流させる側管が設けられ、前記側管には、着脱可能なフィルターが装着され、前記洗濯脱水槽と環状排水管の下側には、環状排水管から洗濯脱水槽の水切り板の下を通って外部に漏出する泡や水を捕集して排出する漏斗状排水管が設けられている洗濯機において、前記側管から三方分岐管と円筒回転軸を経て洗濯脱水槽に至るまでの洗濯水又は濯ぎ水の流路の前記フィルターの下流側に、電解水発生電極を配設したことを特徴とするものである。
【００２０】
上記側管および／または環状排水管に、洗濯脱水槽とポンプの回転数を制御するために、洗濯脱水槽から環状排水管に流出した洗濯水又は濯ぎ水の量を検出するセンサーを設置することができる。
【００２１】
【発明の実施の形態】
以下、この発明の実施の形態を実施例によって説明する。
【００２２】
図１は実施例の洗濯機の要部縦断面図、図２は実施例の洗濯機の横断面図、図３は図１のほぐし部材の動作説明図、図４は図１のフィルター装置の分解斜視図である。
【００２３】
図において、１は、直径が底部から上部にかけて次第に大きくなっている有底円筒形の洗濯脱水槽で、円筒回転軸２に固定されている。この回転軸２は洗濯脱水槽１に通じる管としても機能する。円筒回転軸２は、軸受け３を介して外装ケース４に取り付けられている。洗濯脱水槽１の上部の直径は底部のそれより５〜１０％大きくする必要がある。この実施例では、８％大きく形成されている。洗濯脱水槽１はモータで正転または左右往復回転する。５は洗濯脱水槽１を回転させるためのプーリーである。
【００２４】
洗濯時と濯ぎ時には、モータは左右往復回転モードに設定され、脱水時には、モータは正転モードに設定される。各モードの設定は、図外の制御装置によってなされる。
【００２５】
１ａは、洗濯脱水槽１の上部周壁に、環状に一定の間隔で設けた排水穴で、１ｂはこの排水穴１ａの下縁部に設けた環状の水切り板である。
【００２６】
６は洗濯脱水槽１の底部の円筒回転軸２の開口部に被せる底蓋である。この底蓋６には、図２に示すように、小さな通水孔６ａが多数個設けられている。
【００２７】
７は、洗濯脱水槽１の上半部に被せて、これと非接触かつ同軸的に配置して外装ケース４に取り付けた環状排水管で、７ａはその内壁上部に設けた環状開口部である。環状排水管７の底面７ｂは、後述する側管８側へ傾斜した傾斜面となっている。７ｃは、環状排水管７の前記洗濯脱水槽１に連通する上部開口部７ｄに被せる内蓋である。
【００２８】
前記水切り板１ｂは、環状開口部７ａに嵌合されている。すなわち、水切り板１ｂは、環状排水管７の環状開口部７aから同排水管７の中に伸びて下方に垂れ下がった形状で前記環状開口部７ａに非接触の状態で嵌合されている。洗濯脱水槽１と環状排水管７は、このような嵌合関係が得られる位置に配設されている。
【００２９】
８は、排水穴１ａと環状開口部７ａを通って環状排水管７に流入する洗濯脱水槽１の洗濯水又は濯ぎ水を同槽１に還流させるための側管で、環状排水管７と後述する三方分岐管１８の間に接続されている。
【００３０】
１ｃは、洗濯脱水槽１の内周面に設けた断面半円形状の凸条である。凸条１ｃは、円周方向に６０度間隔で６本設けられている。
【００３１】
なお、図示しないが、脱水時の洗濯物の片寄りによる洗濯脱水槽の振動を防止する手段は設けられている。
【００３２】
９は、脱水後の洗濯物をほぐすためのほぐし部材で、洗濯脱水槽１の開口部近傍の内壁面に図外のブラケットを介して取り付けた回転軸１０に取り付けられている。ほぐし部材９は、取付け状態においては、洗濯脱水槽の内壁面に沿い、かつ底蓋６と干渉しない形状と大きさを有している。すなわち、ほぐし部材９は、図３に示すように、Ｕ字形の棒材をＬ字形に折り曲げた形状になっていて、各凸条１ｃを囲むようにこれに近接状態で配置されている。ほぐし部材９は、全部で６個、６０度間隔で配置されている。
【００３３】
１１は、ほぐし部材９を洗濯脱水槽１の内壁面に押し当てて退避位置に付勢するばねである。
【００３４】
１２は、ほぐし部材９に突設した押出し棒で、洗濯脱水槽１の排水穴１ａと排水穴１ａの間に設けた穴１ｄ（図２）に挿通され、環状排水管７の中に突出している。この押出し棒１２は、同排水管７の入隅部に配設した後述の進出位置にきたローラ１３に接触したとき、ばね付勢に抗してほぐし部材９を洗濯脱水槽１の中心部側へ押し出す。Ｇは、ほぐし棒９が押し出し位置（進出位置）からばね１１によって退避位置に戻ってきたときの衝撃を緩和するクッションゴムで、洗濯脱水槽１に設けた凹部に嵌着されている。
【００３５】
１３は、図２に示すように、環状排水管７の入隅部に配設したローラで、押出し棒１２が接触したとき、ほぐし部材９を押し出すためのものである。このローラ１３は、アーム１４を介してギヤードモータ１５に水平方向へ回動可能に取り付けられていて、鎖線位置が退避位置であり、実線位置が進出位置である。両位置への駆動の制御は、図外の制御手段によってなされる。１６は、進出位置にきたローラ１３のアーム１４のストッパーである。
【００３６】
ローラ１３とほぐし部材９の位置関係と働きは、次のようになっている。
【００３７】
いま、ローラ１３を進出位置に出し、洗濯脱水槽１を矢印Ｒ方向へゆるやかに回転（正転）させると、押出し棒１２がローラ１３に接触し、これに押される。すると、各ほぐし部材９は、順次、洗濯脱水槽１の中央部側へ押し出される。脱水後の洗濯物は、この押し出されたほぐし部材９によってほぐされる。
【００３８】
１７は除湿機、１８は円筒回転軸２と除湿機１７の間に介装した三方分岐管である。三方分岐管１８は、第１分岐管１８ａと第２分岐管１８ｂと第３分岐管１８ｃとより構成されている。第１分岐管１８ａと円筒回転軸２は、同軸かつ相対回転可能に接続されており、第２分岐管１８ｂは除湿機１７の乾燥空気吹出口（図示せず）に接続され、第３分岐管１８ｃは外部へ開放されている。
【００３９】
１９は三方分岐管１８に設けた三方弁である。三方弁１９を実線位置に切り換えたときは、第１分岐管１８ａが洗濯水又は濯ぎ水の洗濯脱水槽１と側管８からの流出を止める閉止路を形成する。三方弁１９を図面上右へ１２０度回転させて切り換えたときは、第１分岐管１８ａと第３分岐管１８ｃが洗濯脱水槽１の洗濯水又は濯ぎ水を外部へ排出する排水路を形成する。三方弁１９の制御は、図外の弁制御装置によって行われる。２０は洗濯機の外蓋で、外装ケース４の上部開口部に被せられる。
【００４０】
前述した側管８は、第１分岐管１８ａに接続されている。Ｐは側管８の三方分岐管寄りに配設したポンプである。３１は、側管８の中に配設した電極板で、その位置はフィルター２１とポンプＰの間である。電極板３１は、側管８の軸線と平行に一定の間隔で配置した複数枚の極板で構成されている。電極番３１への通電は図外の電源供給装置によりなされる。
【００４１】
洗濯脱水槽１の左右往復回転による遠心力で同槽１から環状排水管７にあふれ出た洗濯水又は濯ぎ水は、ポンプＰで加速されて円筒回転軸２から洗濯脱水槽１に還流される。
【００４２】
洗濯時又は濯ぎ時に、洗濯脱水槽１の左右往復回転による遠心力で同槽１からあふれ出る洗濯水又は濯ぎ水の量は、同槽１の左右往復の回転数の増減によって増減する。したがって、洗濯時脱水槽１からあふれ出る洗濯水又は濯ぎ水を再び同槽１に還流させて循環させるためには、ポンプの回転数も、洗濯脱水槽１の回転数の増減に応じて増減させる必要がある。
【００４３】
環状排水管７の側管８寄りと、側管８にそれぞれ設けた圧力センサーＳ1，Ｓ2は、そのためのものである。両圧力センサーＳ1，Ｓ2は、洗濯脱水槽１からあふれ出た洗濯水又は濯ぎ水の量を検出し、そのときの検出信号を洗濯脱水槽１の左右往復の回転数を制御する図外の第１制御装置と、ポンプＰの回転数を制御する図外の第２制御装置に出力する。
【００４４】
圧力センサーＳ1，Ｓ2の検出信号を入力した第１，第２制御装置は、それぞれ洗濯脱水槽１の回転数とポンプＰの回転数を制御する。洗濯脱水槽１の単位時間当りの回転数は、任意の値に設定できる構成となっている。
【００４５】
Ｆはフィルター装置で、図４に示すように、フィルター２１と、そのホルダー２２と、フィルター２１をホルダー２２に取り付けるピン２３とより構成されている。
【００４６】
ホルダー２２は、側壁に９０度間隔でスリット２２ａを設けた筒体の上端につば２２ｂを設け、下端部にボトルネック部２２ｃを設けたものである。フィルター２１は、試験管状の長いフィルターで、その上端部はホルダー２２のボトルネック部２２ｃに嵌め、ボトルネックに嵌めたピン２３で挟持して脱落しないように取り付けられている。
【００４７】
フィルター装置Ｆは、図１に示すように、外装ケース４と環状排水管７に設けた穴から挿入して装着されている。装着状態においては、フィルター２１は側管８の中に挿入され、ホルダー２２はつば２２ｂが外装ケース４に掛止され、下端部が側管８の中に挿入されて環状排水管７の中に保持されている。環状排水管７に流れ込んだ洗濯水は、ホルダー２２のスリット２２ａからフィルター２１の中に流れ込む。
【００４８】
４１は、洗濯脱水槽１と環状排水管７の下側に配設した漏斗状排水管で、環状排水管７から洗濯脱水槽１の水切り板１ｂの下を通って外部へ漏れ落ちる泡や洗濯水、濯ぎ水等の水を捕集して排出する管である。
【００４９】
この漏斗状排水管４１は、外装ケース４と側管８と軸受け３に取り付けたすり鉢状の水受け板４１ａと、水受け板４１と第３分岐管１８ｃを連結する排水管４１ｂとより構成されている。水受け板４１ａの中央部には、円筒回転軸２と水受け板４１ａが干渉しないように円形の穴が設けられ、その穴の口縁部には、洗濯脱水槽１と干渉しないように、環状の立上げ部ｔが設けられている。
【００５０】
実施例の洗濯機は、上述のような構成となっているので、洗濯時には、ローラ１３を退避位置に位置決めし、三方弁１９を切り換えて閉止路を形成する。ついで、洗濯脱水槽１に洗濯物を投入する。注水前に洗濯脱水槽１を空回転させ慣性力により洗濯物の量を計量する。その後、水を必要量だけ注入して洗濯を開始する。注水量により水面と排水穴１ａの間隔に差が出るため、洗濯脱水槽１の左右の回転数を徐々に増加させて同槽１から環状排水管への水の流入量が適度となったときの回転数を持続することにより洗濯をする。
【００５１】
このとき、洗濯脱水槽１の凸条１ｃは水流に乗って回転する洗濯物を押し洗いする。ほぐし部材９は、凸条１ｃを囲むように、これに近接状態で配置されているので、この凸条１ｃがほぐし部材９に洗濯物が強く当たるのを防止し、その曲がりを防ぐ。そのことが、洗濯脱水槽１の左右回転を切り替えたときに、ほぐし部材９の回転軸１０の支持部に加わるストレスを減少させる。また、洗濯脱水槽１の左右往復回転による遠心力で同槽１の排水穴１ａから環状排水管７にあふれ出た洗濯水と気泡は、ポンプＰで加圧加速されて側管８と三方分岐管１８の第１分岐管１８ａを通って底板６の通水孔６ａから噴出し、再び洗濯脱水槽１に戻る。洗濯脱水槽１の洗濯水は、このようにして循環する。
【００５２】
その過程で、洗濯物から出て洗濯水中に浮遊または混入している土砂、繊維くず、糸くず、ゴミ等は、フィルター２１によって除去される。
【００５３】
フィルター２１に濾過された洗濯水は、電極板３１に電気分解されて電解水となって洗濯脱水槽１に戻る。
【００５４】
一方、上記気泡のうち、大きいものは、環状配水管７の中を上昇し、内蓋７ｃに当たりながら洗濯脱水槽１の中に戻る。微小なものは、浮力より抗力が大きいため、ポンプＰで加圧、加速されて、洗濯水とともに、底蓋６の通水孔６ａから上方に噴出して洗濯脱水槽１に戻る。このとき、微小な気泡は、底蓋６の通水孔６ａを通過するときに砕けて超音波を発する。
【００５５】
洗濯脱水槽１に戻った洗濯水（電解水）は、気泡が砕けることによって発生する超音波と洗濯脱水槽１の回転によって発生する洗濯水の水流とにより洗濯物から汚れ（有機物）を剥がす。そして、洗濯水（電解水）の活性酸素が分子レベルで洗濯物の汚れを分解し、電解次亜塩素酸が洗濯物の除菌をする。
【００５６】
濯ぎをする時は、まず、三方弁１９を切り換えて排水路を形成して洗濯脱水槽１から汚れた洗濯後の洗濯水を排水する。ついで、三方弁１９を切り換えて閉止路を形成し、濯ぎ水を給水し、洗濯脱水槽１を所要回転数で左右に往復回転させながら、濯ぎ水を所要回数循環させて１回目の濯ぎを行う。
【００５７】
この過程においても、洗濯時と同様、濯ぎ水の中に浮遊または混入している土砂、繊維くず、糸くず、ゴミ等は、フィルター２１によって除去される。フィルター２１に濾過された濯ぎ水は、電極板３１に電気分解されて電解水となって洗濯脱水槽１に戻る。
【００５８】
１回目の濯ぎを終えたら、洗濯脱水槽１の回転を止めてしばらく洗濯物のつけおきをし、再び洗濯脱水槽１を回転させて電解水で濯ぎを行う。
【００５９】
２回目以降の濯ぎも必要に応じ、同じ要領で行う。所要の濯ぎを終えたならば、三方弁１９を切り換えて排水路を形成し、濯ぎ水を排水する。そして脱水を行う。
【００６０】
脱水は、三方分岐管１８に排水路を形成したままの状態で、排水完了後、洗濯脱水槽１を高速回転（例えば、１０００回転／分）させることによって行う。
【００６１】
このとき、洗濯物に含まれている水は、遠心力により、同槽１の傾斜内面にそって上部へ移動し、排水穴１ａから環状排水管７に流入し、側管８を通って外部へ排出される。脱水過程で、脱水洗濯槽１の中の洗濯物は、脱水時の遠心力によって同槽１の内壁とほぐし部材９にへばりついて環状になり、洗濯物の中央部に通気路が形成される。
【００６２】
洗濯物の乾燥は、洗濯機の内蓋７ｃと外蓋２０を被せ、ローラ１３を進出位置に持ってきて、三方弁１９を切り換えて給気路を形成し、洗濯脱水槽１を矢印Ｒ方向へゆるやかに回転させて、ほぐし部材９で脱水した洗濯物をほぐす。そして、ほぐしながら除湿機１７を運転する。除湿機１７による乾燥は、通常ジュール加熱により行われるが、デリケートな衣類への損傷が生ずることがあるので、ペルチェ効果又はヒートポンプを用いた低温乾燥が良い。
【００６３】
このとき、外装ケース４と洗濯脱水槽１の中の湿気を含んだ空気は、除湿機１７で吸引されて除湿される。除湿されて乾燥した空気は、給気路と円筒回転軸２を通って、洗濯物の間及び洗濯物と洗濯脱水槽１の間に形成された通気路を通過する。乾燥した空気は、この過程で、洗濯物の湿気を吸い、外装ケース４内に入って除湿機１７に入る。以下、このサイクルを繰り返して、洗濯物を乾燥する。
【００６４】
洗濯と濯ぎと脱水の過程で、環状排水管７から洗濯脱水槽１の水切り板１ｂの下を通って外部に漏出して落下した泡、洗濯水、濯ぎ水、脱水した水は、漏斗状排水管４１に捕集されて、第３分岐管１８ｃから外部へ排出される。
【００６５】
【発明の効果】
以上説明したように、この発明の洗濯機は、上述のような構成としたので、次の効果を奏する。
【００６６】
（１）洗濯脱水槽から環状排水管にあふれ出る洗濯水又は濯ぎ水を、電極板で電気分解する前に、側管に配置したフィルターで濾過して、これらの水の中に混入している洗濯物から出る土砂、繊維くず、糸くず、ゴミ等の浮遊物を除去するので、これらの浮遊物が電極板に付着してその電気分解能が低下するのを防止できる。
【００６７】
（２）電極板で電気分解した洗濯水又は濯ぎ水は、ポンプで圧送し、洗濯脱水槽の底蓋の通水孔から上方に噴出させて同槽に環流させるので、電解水の洗濯水への分散と、電解水の濯ぎ水への分散が均一になり、洗濯物の洗浄ムラと濯ぎムラが生じるおそれがない。
【図面の簡単な説明】
【図１】  実施例の洗濯機の縦断面図
【図２】  実施例の洗濯機の洗濯脱水槽の排水穴部分における横断面図
【図３】  図１におけるほぐし部材の動作説明図
【図４】  図１におけるフィルター装置の分解斜視図
【図５】  従来の洗濯機の要部縦断面図
【符号の説明】
１  洗濯脱水槽
１ａ  排水穴
１ｂ  水切り板
１ｃ  凸条
１ｄ  穴
２  円筒回転軸
６  底蓋
６ａ  通水孔
７  環状排水管
７ａ  環状開口部
７ｂ  底面
７ｃ  内蓋
８  側管
９  ほぐし部材
１０  回転軸
１１  ばね
１２  押出し棒
１３  ローラ
１４  アーム
１５  ギヤードモータ
１６  ストッパー
１７  除湿機
１８  三方分岐管
１９  三方弁
２０  外蓋
Ｓ1，Ｓ2  圧力センサー
Ｐ  ポンプ
Ｆ  フィルター装置
２１  フィルター
２２  ホルダー
２２ａ  スリット
２２ｂ  つば
２３  ピン
３１  電極板
４１  漏斗状排水管
４１ａ  水受け板
４１ｂ  排水管
ｔ    環状の立上げ部
【図１】
0003754358.tif 000002
【図２】
0003754358.tif 000003
【図３】
0003754358.tif 000004
【図４】
0003754358.tif 000005
【図５】
0003754358.tif 000006